(57)【要約】【課題】空気の温度の変化が霜除去部の作動によるものか否かを判断することが容易な機器監視システムを提供する。【解決手段】機器監視システム１は、設備機器１０の稼働を監視する機器監視システムであって、第１取得部１４と、第２取得部１５と、表示部２３とを備える。設備機器１０は、冷却部１２と、霜除去部１３とを有する。冷却部１２は、空気を冷却可能である。霜除去部１３は、冷却部１２に発生する霜を除去する。第１取得部１４は、冷却部１２が冷却する空気の温度を時系列的に取得する。第２取得部１５は、霜除去部１３の作動時間情報を取得する。表示部２３は、第１取得部１４が取得する空気の温度の推移をグラフとして表示する。同時に、表示部２３は、グラフに重ねて、霜除去部１３の作動時間領域を表示する。【選択図】　　　　図１
2004077028.tif 000002
【特許請求の範囲】
【請求項１】
空気を冷却可能な冷却部（１２）と前記冷却部（１２）に発生する霜を除去する霜除去部（１３）とを有する設備機器（１０）の稼働を監視する機器監視システムであって、
前記冷却部（１２）が冷却する前記空気の温度を時系列的に取得する第１取得部（１４）と、
前記霜除去部（１３）の作動時間情報を取得する第２取得部（１５）と、
前記第１取得部（１４）が取得する前記空気の温度の推移をグラフ（３１）として表示するとともに、前記グラフ（３１）に重ねて前記霜除去部（１３）の作動時間領域または非作動時間領域を表示する表示部（２３）と、
を備える機器監視システム（１）。
【請求項２】
前記霜除去部（１３）が作動していない非作動時間領域における前記グラフ（３１）と前記作動時間領域における前記グラフ（３１）とは、線種が異なる、
請求項１に記載の機器監視システム（１）。
【請求項３】
前記非作動時間領域における前記グラフ（３１）と前記作動時間領域における前記グラフ（３１）とは、表示色が異なる、
請求項１または２に記載の機器監視システム（１）。
【請求項４】
前記作動時間領域と前記非作動時間領域とは、異なる様式で表示される、
請求項１から３のいずれかに記載の機器監視システム（１）。
【請求項５】
前記作動時間領域は、複数の作動時間領域であり、
前記複数の作動時間領域は、それぞれハッチングパターンと表示色との少なくとも一方が異なる、
請求項１から４のいずれかに記載の機器監視システム（１）。
【請求項６】
前記表示部（２３）は、さらに、適正温度領域と不適正温度領域とを異なる様式で表示する、
請求項１から４に記載の機器監視システム（１）。
【請求項７】
前記不適正温度領域は、前記適正温度領域の上限温度以上の温度領域を示す第１領域と、前記適正温度領域の下限温度以下の温度領域を示す第２領域との少なくとも一方である、
請求項６に記載の機器監視システム（１）。
【請求項８】
前記不適正温度領域は、前記第１領域と前記第２領域とを含み、
前記第１領域と前記第２領域とは、ハッチングパターンと表示色との少なくとも一方が異なる、
請求項７に記載の機器監視システム（１）。
【請求項９】
前記表示部（２３）の表示内容を印刷可能な印刷部（２４）をさらに備える、請求項１から８のいずれかに記載の機器監視システム（１）。
【発明の詳細な説明】
【０００１】
【発明の属する技術分野】
本発明は、機器監視システム、特に、空気の温度を変更可能な設備機器の稼働を監視するための機器監視システムに関する。
【０００２】
【従来の技術】
従来より、店舗やビルなどに設置され空気の温度を変更可能な設備機器（空気調和機、冷蔵／冷凍ショーケースなど）の稼働情報を取得し、これらの稼働情報をグラフや表などを用いて表示することができる機器監視システムが知られている。例えば、小売店などに設置される食品用の冷蔵／冷凍ショーケースの監視システムなどが知られている。この監視システムでは、ショーケースの庫内温度を測定し、庫内温度の推移をグラフ化し図表として表示している。食品の管理者などは、この図表により庫内温度の推移を確認し、現在および過去の庫内温度がショーケース内に納められる食品にとって品質の保持が可能な温度領域（以下、適正温度領域という）にあるか否かを確認している。食品の管理者などは、これらの確認を行うことにより、ショーケース内に納められる食品の鮮度管理を行っている。
【０００３】
【特許文献１】
特開平０５−２６４１５０号公報
【０００４】
【特許文献２】
特開平０８−２８５４２７号公報
【０００５】
【特許文献３】
特開平０５−２６４１４３号公報
【０００６】
【発明が解決しようとする課題】
また、このような冷蔵／冷凍ショーケースにおいては、空気を冷却する冷却部が作動する際に冷却部付近に霜が発生する場合がある。冷蔵／冷凍ショーケースには、この霜を取り除くための霜除去部が備えられている。この霜除去部は、冷却部付近の温度を冷却部が作動しているときの温度より上昇させることにより、霜を溶かして除去している。このため、霜除去部の作動中には、ショーケースの庫内温度が上昇する場合がある。
【０００７】
しかし、図表には庫内温度の推移を示すグラフのみが表示されるので、職員の管理者などが図表を見て「いつ霜除去部が作動しているか」を一目で判断することは困難となっている。このため、ショーケースの庫内温度の上昇が霜除去部の作動によるものか否かを判断することは困難である。
そこで、本発明では、空気の温度の変化が霜除去部の作動によるものか否かを判断することが容易な機器監視システムを提供することを課題とする。
【０００８】
【課題を解決するための手段】
請求項１に記載の機器監視システムは、設備機器の稼働を監視する機器監視システムであって、第１取得部と、第２取得部と、表示部とを備える。設備機器は、冷却部と、霜除去部とを有する。冷却部は、空気を冷却可能である。霜除去部は、冷却部に発生する霜を除去する。第１取得部は、冷却部が冷却する空気の温度を時系列的に取得する。第２取得部は、霜除去部の作動時間情報を取得する。表示部は、第１取得部が取得する空気の温度の推移をグラフとして表示する。同時に、表示部は、グラフに重ねて、霜除去部の作動時間領域を表示する。
【０００９】
この機器監視システムでは、冷却部により冷却される空気の温度が、第１取得部により時系列的に取得される。そして、取得された空気の温度の推移は、表示部によりグラフとして表示される。このグラフは、空気の温度の軌跡を表すものであり、例えば、折れ線グラフの線、棒グラフの棒などである。さらに、霜除去部の作動時間情報が、第２取得部により取得される。この作動時間情報としては、霜除去部の作動開始時間および作動終了時間がある。そして、表示部により、霜除去部の作動時間領域が、グラフに重ねられて表示される。作動時間領域とは、霜除去部が作動している時間帯を示す時間領域である。
【００１０】
ここでは、空気の温度の推移を示すグラフに重ねて、霜除去部の作動時間領域が表示される。このため、空気の温度の変化が霜除去部の作動によるものか否かを判断することが容易となる。
請求項２に記載の機器監視システムは、請求項１に記載の機器監視システムであって、非作動時間領域におけるグラフと作動時間領域におけるグラフとは、線種が異なる。非作動時間領域とは、霜除去部が作動していない時間帯である。
【００１１】
このため、ここでは、管理者などが作動時間領域と非作動時間領域とを明確に区別することが容易となる。その結果、空気の温度の変化が霜除去部の作動によるものか否かを判断することがさらに容易となる。
請求項３に記載の機器監視システムは、請求項１または２に記載の機器監視システムであって、非作動時間領域におけるグラフと作動時間領域におけるグラフとは、表示色が異なる。
【００１２】
このため、ここでは、管理者などが作動時間領域と非作動時間領域とを明確に区別することが容易となる。その結果、空気の温度の変化が霜除去部の作動によるものか否かを判断することがさらに容易となる。
請求項４に記載の機器監視システムは、請求項１から３のいずれかに記載の機器監視システムであって、作動時間領域と非作動時間領域とは、異なる様式で表示される。
【００１３】
このため、ここでは、管理者などが作動時間領域と非作動時間領域とを明確に区別することが容易となる。その結果、空気の温度の変化が霜除去部の作動によるものか否かを判断することがさらに容易となる。
請求項５に記載の機器監視システムは、請求項１から４のいずれかに記載の機器監視システムであって、作動時間領域が複数の作動時間領域である。この複数の作動時間領域は、それぞれハッチングパターンと表示色との少なくとも一方が異なる。
【００１４】
このため、この機器監視システムでは、複数の作動時間領域をそれぞれ区別することが容易となる。
請求項６に記載の機器監視システムは、請求項１から５のいずれかに記載の機器監視システムであって、適正温度領域と不適正温度領域とは、異なる様式で表示される。適正温度領域とは、設備機器がその温度を目標温度として稼働する温度領域であって、例えばショーケースの場合では、ショーケース内に納められる食品などの品質保持にとって適切な温度帯である。不適正温度領域とは、適正温度領域外の温度領域であって、例えばショーケースの場合では、ショーケース内に納められる食品などの品質保持にとって不適切な温度帯である。また、様式とは、適正温度領域および不適正温度領域を表示する表示形式のことであり、例えばハッチングパターンや表示色などである。
【００１５】
このため、この機器監視システムでは、適正温度領域と不適正温度領域とを区別することが容易となる。その結果、空気の温度の推移が適正温度領域内にあるか否かを確認することが容易となる。
請求項７に記載の機器監視システムは、請求項６に記載の機器監視システムであって、不適正温度領域は、第１領域と、第２領域との少なくとも一方である。第１領域は適正温度領域の上限温度より高い温度領域を示す。第２領域は、適正温度領域の下限温度より低い温度領域を示す。
【００１６】
つまり、ここでは、不適切温度領域が、適正温度領域の上限温度以上の温度領域、下限温度以下の温度領域、もしくはその両方を示す。このため、この機器監視システムでは、空気の温度の推移を示すグラフに重ねて、上限温度以上の不適正温度領域、下限温度以下の不適切温度領域、もしくはその両方の温度領域が表示される。その結果、適正温度領域と不適正温度領域との境界が明瞭となる。したがって、空気の温度の推移が適正温度領域内にあるか否かを確認することがさらに容易となる。
【００１７】
請求項８に記載の機器監視システムは、請求項７に記載の機器監視システムであって、不適切温度領域は、第１領域と第２領域とを含む。第１領域と第２領域とは、ハッチングパターンと表示色との少なくとも一方が異なる。
このため、この機器監視システムでは、管理者などが適正温度領域と不適正温度領域とを区別することがさらに容易となる。その結果、空気の温度の推移が適正温度領域内にあるか否かを確認することが容易となる。
【００１８】
請求項９に記載の機器監視システムは、請求項１から８のいずれかに記載の機器監視システムであって、さらに、印刷部を備える。この印刷部は、表示部の表示内容を印刷可能である。
このため、例えば設備機器の設けられる建物の遠方において設備機器の監視を行っていても、印刷された表示部の表示内容により、現地の担当者に空気の温度の推移を伝達することができる。
【００１９】
【発明の実施の形態】
＜ショーケース監視システム＞
図１に、本発明が採用されるショーケース監視システム１の概略構成を示す。この監視システム１は、ショーケース１０の庫内温度の推移を監視するためのシステムであって、複数のショーケース１０と、店舗コントローラ２０とを備えている。
【００２０】
＜ショーケース１０＞
ショーケース１０は、店舗２内に設置される冷蔵／冷凍商品の陳列に用いられる装置であり、内部に収容される冷蔵／冷凍商品の温度がこれら商品の品質保持に適した温度帯（以下、「適正温度領域」という）となるように、冷気を供給する。このショーケース１０は、主として、本体１１と、冷気生成部１２と、デフロスト部１３と、温度センサ１４とを有している。
【００２１】
本体１１は、複数段の棚を有する樹脂製の構造体であって、冷蔵／冷凍商品（惣菜、豆腐、冷凍食品、アイスクリームなど）が陳列される。冷気生成部１２は、本体１１の内部に収容され、本体１１に陳列される冷蔵／冷凍商品を冷却するために冷気を生成し、複数段の棚に冷気を供給する。冷気生成部１２では、店舗２の室内から空気を吸い込み、吸い込んだ空気を冷却して冷気を生成している。ショーケース１０は、この冷気により冷蔵／冷凍商品を冷却し、冷蔵／冷凍商品の温度が不適切な温度帯（以下、「不適切温度領域」という）にならないように稼働する。デフロスト部１３は、冷気生成部１２の近傍に設けられ、冷気生成部１２の稼働中に発生する霜を除去するための装置である。冷気生成部１２に霜が付着すると、ショーケース１０内に吸い込まれた空気と冷気生成部１２との間の熱交換効率が悪化する。このため、ショーケース１０が、棚に陳列される冷蔵／冷凍商品を十分に冷却することができなくなる。この状況を避けるために、デフロスト部１３は、冷気生成部１２に発生した霜を加熱することにより霜を除去する。温度センサ１４は、本体１１の棚に設けられ、冷蔵／冷凍商品の陳列される棚付近（以下、「ショーケース１０の庫内」という）の温度を５分に１回測定する。測定されたショーケース１０の庫内温度は、その温度が測定された測定時刻と併せて店舗コントローラ２０に送られる。
【００２２】
さらに、ショーケース１０には、デフロスト制御装置１５が接続されている。デフロスト制御装置１５は、ショーケース１０内のデフロスト部１３の稼働を制御する。さらに、デフロスト制御装置１５は、デフロスト部１３の作動開始時刻と作動終了時刻とをデフロスト部１３から取得し、店舗コントローラ２０に対して送信する。
【００２３】
＜店舗コントローラ２０＞
店舗コントローラ２０は、店舗２内のバックルームなどに設けられ、ショーケース１０と接続されており、ショーケース１０の稼働状況の監視を行う。店舗コントローラ２０は、主に、制御部２１と、データベース２２と、モニタ２３とから構成される。
【００２４】
制御部２１は、図２に示すように、温度センサ１４と、デフロスト制御装置１５と、データベース２２と、モニタ２３と、プリンタ２４とに接続されている。制御部２１は、温度センサ１４から、ショーケース１０の庫内温度とその温度が測定された測定時刻とを受信する。さらに、制御部２１は、デフロスト制御装置１５からデフロスト部１３の作動開始時刻と作動終了時刻とを受信する。受信されたこれらの情報は、データベース２２に蓄積される。さらに、制御部２１は、デフロスト部１３の制御設定やショーケース１０の庫内温度の上限温度および下限温度を設定できるように構成されている。これらの設定も、制御部２１によりデータベース２２に蓄積される。モニタ２３には、制御部２１が取得するデータやそのデータに基づいて制御部２１により作成されるグラフが表示される。プリンタ２４は、モニタ２３に表示される内容を紙面に印刷することができる。
【００２５】
＜グラフの表示＞
制御部２１は、外部からグラフを表示するよう指示を受けると、データベース２２に蓄積される過去２４時間のショーケース１０の庫内温度と、その温度が測定された時間と、デフロスト部１３の作動開始時刻と、作動終了時刻とをデータベース２２から読み出す。そして、制御部２１は、これらの情報を元に図３に示されるような図表３０を作成しモニタ２３に表示する。この図表３０は、過去２４時間以内にデフロスト部１３が２回作動した場合の図表である。
【００２６】
図表３０は、縦軸が温度、横軸が時間である。この図表３０は、折れ線グラフ３１と、適正温度領域３２と、不適正温度領域３３とから構成される。折れ線グラフ３１は、図表３０の略中央部に表示され、過去２４時間におけるショーケース１０の庫内温度の推移を示す。折れ線グラフ３１は、実線部３１ａと、一点鎖線部３１ｂと、破線部３１ｃとから構成される。実線部３１ａは、デフロスト部１３が作動していない非作動時間領域におけるショーケース１０の庫内温度の推移を示している。一点鎖線部３１ｂは、デフロスト部１３が過去２４時間以内において１回目に作動した第１作動時間領域におけるショーケース１０の庫内温度の推移を示している。破線部３１ｃは、デフロスト部１３が過去２４時間以内において２回目に作動した第２作動時間領域におけるショーケース１０の庫内温度の推移を示している。適正温度領域３２は、図表３０の略中央部に表示される。不適正温度領域３３は、上限温度領域３３ａと、下限温度領域３３ｂとから構成される。上限温度領域３３ａは、図表３０の上部に表示され、図表３０内の上限温度より温度の高い領域を示している。上限温度領域３３ａは、ハッチング（黄色）されている。下限温度領域３３ｂは、図表３０の下部に表示され、図表３０内の下限温度より温度の低い領域を示している。下限温度領域３３ｂは、上限温度領域３３ａと異なるパターンでハッチング（緑色）されている。
【００２７】
＜本システムの特徴＞
（１）
本システム１では、ショーケース１０の庫内温度の推移を折れ線グラフ３１としてモニタ２３に表示している。さらに、モニタ２３には、折れ線グラフ３１の線種および表示色を変更することにより、デフロスト部１３の第１作動時間領域と第２作動時間領域とが表示されている。このため、ショーケース１０の監視を行う食品の管理者などは、デフロスト部１３の作動時間帯をショーケース１０の庫内温度の推移と同時に確認することができる。その結果、本システム１では、ショーケース１０の庫内温度の変化がデフロスト部１３の作動によるのものか否かを容易に判断することができる。
【００２８】
（２）
本システム１では、デフロスト部１３の作動時間領域におけるショーケース１０の庫内温度の推移は、一点鎖線および破線で表示されている。また、デフロスト部１３の非作動時間領域におけるショーケース１０の庫内温度の推移は、実線で示されている。つまり、作動時間領域におけるショーケース１０の庫内温度の推移を示す一点鎖線部３１ｂおよび破線部３１ｃの線種と、デフロスト部１３の非作動時間領域におけるショーケース１０の庫内温度の推移を示す実線部３１ａの線種とが、異なっている。このため、折れ線グラフ３１において、モニタ２３がモノクロ表示であっても、デフロスト部１３の作動時間領域と非作動時間領域とが容易に区別される。したがって、ショーケース１０の監視を行う食品の管理者などは、デフロスト部１３の作動時間帯をショーケース１０の庫内温度の推移と同時に確認することができる。その結果、本システム１では、ショーケース１０の庫内温度の変化がデフロスト部１３の作動によるのものか否かを容易に判断することができる。
【００２９】
（３）
本システム１では、デフロスト部１３の作動時間領域における一点鎖線部３１ｂは赤色で、破線部３１ｃは青色でそれぞれ表示されている。また、デフロスト部１３の非作動時間領域における実線部３１ａは黒色で表示されている。つまり、作動時間領域におけるショーケース１０の庫内温度の推移を示す一点鎖線部３１ｂおよび破線部３１ｃの表示色と、デフロスト部１３の非作動時間領域におけるショーケース１０の庫内温度の推移を示す実線部３１ａの表示色とが、異なっている。このため、折れ線グラフ３１において、デフロスト部１３の作動時間領域と非作動時間領域とが容易に区別される。したがって、ショーケース１０の監視を行う食品の管理者などは、デフロスト部１３の作動時間帯をショーケース１０の庫内温度の推移と同時に確認することができる。その結果、本システム１では、ショーケース１０の庫内温度の変化がデフロスト部１３の作動によるのものか否かを容易に判断することができる。
【００３０】
（４）
本システム１では、適正温度領域３２はハッチングされておらず、不適正温度領域３３はハッチングされている。このため、モニタ２３がモノクロ表示であっても、適正温度領域３２と不適正温度領域３３とを区別することが容易となる。その結果、ショーケース１０の庫内温度の推移が適正温度領域３２内にあるか否かを確認することが容易となる。
【００３１】
（５）
本システム１では、上限温度領域３３ａのハッチングパターンと下限温度領域３３ｂのハッチングパターンとが、異なっている。このため、適正温度領域３２と不適正温度領域３３とを区別することが容易となる。その結果、ショーケース１０の庫内温度の推移が適正温度領域３２内にあるか否かを確認することが容易となる。
【００３２】
（６）
本システム１では、上限温度領域３３ａの表示色（黄色）と下限温度領域３３ｂの表示色（緑色）とが、異なっている。このため、適正温度領域３２と不適正温度領域３３とを区別することが容易となる。その結果、ショーケース１０の庫内温度の推移が適正温度領域３２内にあるか否かを確認することが容易となる。
【００３３】
（７）
本システム１では、モニタ２３の表示内容を紙面に印刷可能なプリンタ２４が設けられている。このため、たとえ店舗２の遠方においてショーケース１０の監視を行っていても、印刷されたモニタ２３の表示内容により、店舗２にいる食品などの管理者にショーケース１０の庫内温度の推移を伝えることができる。
【００３４】
＜他の実施の形態＞
（ａ）
上記実施の形態では、デフロスト部１３が冷気生成部１２に発生した霜を加熱することにより霜を除去している。これに代えて、デフロスト部１３が冷気生成部１２の稼働を停止させることによって、冷気生成部１２付近の温度を上昇させて霜を除去しても良い。
【００３５】
（ｂ）
上記実施の形態では、モニタ２３には、デフロスト部１３が作動中である作動時間領域が表示される。これに代えて、モニタ２３にデフロスト部１３が作動していない非作動時間領域が表示されるようにしても良い。
（ｃ）
上記実施の形態では、不適切温度領域には上限温度領域と下限温度領域とが含まれている。しかし、このように必ずしも両温度領域が不適切温度領域に含まれる必要はなく、上限温度領域と下限温度領域との少なくとも一方が含まれていればよい。
【００３６】
（ｄ）
上記実施の形態では、デフロスト部１３の作動時間領域と非作動時間領域とが、折れ線グラフ３１の線種を変更することにより表示されている。これに代えて、図４に示すように、作動時間領域がハッチングされ、非作動時間領域がハッチングされないように表示してもよい。また、これとは逆に、非作動時間領域がハッチングされ、作動時間領域がハッチングされないように表示してもよい。
【００３７】
（ｅ）
上記実施の形態では、第１作動時間領域における一点鎖線部３１ｂの表示色および線種と第２作動時間領域における破線部３１ｃの表示色および線種とを異ならせて表示している。これに代えて、図４に示されるように、第１作動時間領域のハッチングパターンもしくは表示色と第２作動時間領域のハッチングパターンもしくは表示色とを異ならせて表示しても良い。
【００３８】
（ｆ）
上記実施の形態では、店舗に設置されるショーケースを例に本発明を説明したが、これに代えて、空気調和機の監視システムに本発明を採用しても良い。
【００３９】
【発明の効果】
請求項１に記載の機器監視システムでは、空気の温度の推移を示すグラフに重ねて、霜除去部の作動時間領域が表示される。このため、空気の温度の変化が霜除去部の作動によるものか否かを判断することが容易となる。
請求項２に記載の機器監視システムでは、管理者などが作動時間領域と非作動時間領域とを明確に区別することが容易となる。その結果、空気の温度の変化が霜除去部の作動によるものか否かを判断することがさらに容易となる。
【００４０】
請求項３に記載の機器監視システムでは、管理者などが作動時間領域と非作動時間領域とを明確に区別することが容易となる。その結果、空気の温度の変化が霜除去部の作動によるものか否かを判断することがさらに容易となる。
請求項４に記載の機器監視システムでは、管理者などが作動時間領域と非作動時間領域とを明確に区別することが容易となる。その結果、空気の温度の変化が霜除去部の作動によるものか否かを判断することがさらに容易となる。
【００４１】
請求項５に記載の機器監視システムは、複数の作動時間領域をそれぞれ区別することが容易となる。
請求項６に記載の機器監視システムでは、適正温度領域と不適正温度領域とを区別することが容易となる。その結果、空気の温度の推移が適正温度領域内にあるか否かを確認することが容易となる。
【００４２】
請求項７に記載の機器監視システムでは、不適切温度領域が適正温度領域の上限温度以上の温度領域もしくは下限温度以下の温度領域もしくはその両方を示す。このため、この機器監視システムでは、空気の温度の推移を示すグラフに重ねて、上限温度以上の不適正温度領域もしくは下限温度以下の不適切温度領域もしくはその両方の温度領域が表示される。その結果、適正温度領域と不適正温度領域との境界が明瞭となる。したがって、空気の温度の推移が適正温度領域内にあるか否かを確認することがさらに容易となる。
【００４３】
請求項８に記載の機器監視システムでは、管理者などが適正温度領域と不適正温度領域とを区別することが容易となる。その結果、空気の温度の推移が適正温度領域内にあるか否かを確認することがさらに容易となる。
請求項９に記載の機器監視システムでは、例えば設備機器の設けられる建物の遠方において設備機器の監視を行っていても、印刷された表示部の表示内容により、現地の担当者に空気の温度の推移を伝達することができる。
【図面の簡単な説明】
【図１】本発明の一実施の形態に係るショーケース監視システムの概略構成図。
【図２】制御部の概略構成図。
【図３】モニタに表示される図表の説明図。
【図４】モニタに表示される他の図表の説明図。
【符号の説明】
１　　　　ショーケース監視システム（機器監視システム）
１０　　　ショーケース（設備機器）
１２　　　冷気生成部（冷却部）
１３　　　デフロスト部（霜除去部）
１４　　　温度センサ（第１取得部）
１５　　　デフロスト制御装置（第２取得部）
２３　　　モニタ（表示部）
２４　　　プリンタ（印刷部）
３１　　　折れ線グラフ（グラフ）
【図１】
2004077028.tif 000003
【図２】
2004077028.tif 000004
【図３】
2004077028.tif 000005
【図４】
2004077028.tif 000006